(57)【要約】スナップフィット締結具は、頭部、第１組及び第２組の翼部を備えることができる。第１組の翼部は、頭部の中心軸線を中心として配置することができ、第１組の翼部の各々は、第１の長さを有し、頭部に連結される第１の端部と、第１の端部と反対にある第２の端部とを備える。第２組の翼部は、頭部の中心軸線を中心として配置することができ、第２組の翼部の各々は、第２の長さを有し、頭部に連結される第１の端部と、第１の端部と反対にある第２の端部とを備える。第１の長さは、第２の長さとは異なる場合がある。複数の高さと嵌合するように少なくとも二組の突起部を有するスナップフィット締結具も開示される。
2021522455.tif 000002
【特許請求の範囲】
【請求項１】
頭部と、
前記頭部の中心軸線を中心として配置される第１組の翼部であって、該第１組の翼部の各々は、第１の長さを有し、前記頭部に連結される第１の端部と、該第１の端部と反対にある第２の端部とを備える第１組の翼部と、
前記頭部の前記中心軸線を中心として配置される第２組の翼部であって、該第２組の翼部の各々は、第２の長さを有し、前記頭部に連結される第１の端部と、該第１の端部と反対にある第２の端部とを備える第２組の翼部とを具備し、
前記第１の長さが前記第２の長さとは異なっているスナップフィット締結具。
【請求項２】
前記頭部の前記中心軸線を中心として配置される第３組の翼部であって、該第３組の翼部の各々は、第３の長さを有し、前記頭部に連結される第１の端部と、該第１の端部と反対にある第２の端部を備える第３組の翼部を更に具備し、
前記第３の長さは、前記第１の長さ及び前記第２の長さとは異なっている請求項１に記載のスナップフィット締結具。
【請求項３】
前記第１組の翼部、前記第２組の翼部、前記第３組の翼部は、前記頭部の前記中心軸の周囲に交互に配置されている請求項２に記載のスナップフィット締結具。
【請求項４】
前記第１組の翼部及び前記第２組の翼部の各々の前記第２の端部において、外側に配置される複数の突起部を更に具備する請求項１に記載のスナップフィット締結具。
【請求項５】
前記複数の突起部の各々は、前記第１組の翼部及び前記第２組の翼部の各々の前記第２の端部に隣接して前記頭部に面する平坦プラットフォームを形成する請求項４に記載のスナップフィット締結具。
【請求項６】
前記複数の突起部の各々は、前記第１組の翼部及び前記第２組の翼部の各々の前記第２の端部に隣接して前記頭部に面する鋸歯状プラットフォームを形成する請求項４に記載のスナップフィット締結具。
【請求項７】
前記第１組の翼部の各々は、第１の傾斜で、前記第１の端部から前記第２の端部まで、前記頭部の前記の前記中心軸に対して外方に延在する請求項１に記載のスナップフィット締結具。
【請求項８】
前記第２組の翼部の各々は、前記第１の傾斜とは異なる第２の傾斜で、前記第１の端部から前記第２の端部まで、前記頭部の前記中心軸に対して外方に延在する請求項７に記載のスナップフィット締結具。
【請求項９】
前記頭部は丸く、前記第１組の翼部の前記第１の端部は、前記頭部の周囲に沿って前記頭部に連結される請求項１に記載のスナップフィット締結具。
【請求項１０】
前記頭部は、中間に開口を形成するように前記中心軸を囲む輪の形状を有する請求項１に記載のスナップフィット締結具。
【請求項１１】
頭部と、
前記頭部の中心軸線を中心として配置される複数の翼部であって、該翼部の各々は、前記頭部に連結される第１の端部と、該第１の端部と反対にある第２の端部とを備える複数の翼部と、
選択された数の前記翼部上に外側に配置される第１組の突起部であって、該第１組の突起部の各々は、前記翼部の前記第１の端部から第１の距離で配置される第１組の突起部と、
選択された数の前記翼部上に外側に配置される第２組の突起部であって、該第２組の突起部の各々は、前記翼部の前記１の端部から第２の距離で配置される第２組の突起部とを具備し、
前記第１の距離が、前記第２の距離とは異なっているスナップフィット締結具。
【請求項１２】
選択された数の前記翼部上で外側に配置される第３組の突起部であって、該第３組の突起部の各々は、前記翼部の前記第１の端部から第３の距離で配置される第３組の突起部を更に具備し、
前記第３の距離は、前記第１の距離及び前記第２の距離とは異なる請求項１１に記載のスナップフィット締結具。
【請求項１３】
前記第１組の突起部、前記第２組の突起部及び前記第３組の突起部は、交互に前記複数の翼部の対応する１つの翼部に配置される請求項１２に記載のスナップフィット締結具。
【請求項１４】
前記第１組の突起部の各々は、前記第１の距離で、前記翼部の前記頭部に面する第１の平坦プラットフォームを形成し、前記第２組の突起部の各々は、前記第２の距離で、前記翼部の前記頭部に面する第２の平坦プラットフォームを形成し、前記第３組の突起部の各々は、前記第３の距離で、前記翼部の前記頭部に面する第３の平坦プラットフォームを形成する請求項１３に記載のスナップフィット締結具。
【請求項１５】
複数の取付部であって、該複数の取付部の各々は、それぞれ、前記第１組の突起部及び前記第２組の突起部の各々に配置される複数の取付部を更に具備する請求項１１に記載のスナップフィット締結具。
【請求項１６】
前記第１組の突起部の各々は、前記第１の距離で、前記翼部の前記頭部に面する鋸歯状プラットフォームを形成する請求項１３に記載のスナップフィット締結具。
【請求項１７】
前記第１組の突起部の各々は、前記翼部上に返し部を形成するように、前記翼部から上方にかつ外方に延在する請求項１３に記載のスナップフィット締結具。
【請求項１８】
前記複数の翼部の各々は、前記第１の端部から前記第２の端部まで傾斜して、前記頭部の前記中心軸に対して外方に延在する請求項１１に記載のスナップフィット締結具。
【請求項１９】
前記頭部は丸く、前記複数の翼部の前記第１の端部は、前記頭部の周囲に沿って前記頭部に連結される請求項１１に記載のスナップフィット締結具。
【請求項２０】
前記頭部は、中間に開口を形成するように前記中心軸を囲む輪の形状を有する請求項１１に記載のスナップフィット締結具。
【発明の詳細な説明】
【技術分野】
【０００１】
本開示は、包括的には、締結具に関し、詳細には、スナップフィット締結具に関する。
【背景技術】
【０００２】
スナップフィット締結具は、物体を製品のパネル上の穴に押圧することによって、物体を製品の表面に組み付ける速くて、便利な方法を提供する。従来のスナップフィット締結具は、２つの脚部、すなわちいわゆる翼部を備え、翼部は、パネルの特定の高さに嵌合するように特化した特定の高さで、物体の縁部の周りに配置される。圧縮力を物体に加えることによって、スナップフィット締結具の２つの翼部は、変形され、穴に押し込まれ、その後、パネルの内面に掴持する。
【０００３】
通常、各スナップフィット締結具は、物体を、特定の位置において１つの特定の製品に連結するように設計される。従って、スナップフィット締結具の翼部は、同一の形状及び高さを有するように成形され、製品の特定の穴だけに嵌合することができる。すなわち、ハウジングの構成が、交換又は外部の衝撃による変形に起因して変更された場合、スナップフィット締結具は、もはや穴の変更した形状又はサイズに嵌合することができず、従って、製品の物体を適所に保持することができない。
【０００４】
更に、従来のスナップフィット締結具は、物体の角に散在した、２つ又は少数の翼部のみを備える。結果として、１つ若しくは２つの翼部が破壊されるか、又は損傷する場合、スナップフィット締結具は、機能することができず、容易に外れる。従って、スナップフィット締結具は、頻繁に新しいスナップフィット締結具と取り替える必要がある。スナップフィット締結具は、穴と完全に合致しない場合、製品に組み付けられた物体は、緩まり、更には製品に対して回転し、又は製品から外れる場合がある。
【発明の概要】
【発明が解決しようとする課題】
【０００５】
従って、組み付けられると、製品に固定して保持することができる、改良したスナップフィット締結具を提供する必要がある。
【課題を解決するための手段】
【０００６】
上述した技術的問題を考慮して、本開示は、従来の技術より有利である解決法を提供することを目的とする。
【０００７】
１つの態様では、本開示のスナップフィット締結具は、頭部、第１組及び第２組の翼部を備えることができる。第１組の翼部は、頭部の中心軸線を中心として配置することができ、第１組の翼部の各々は、第１の長さを有し、頭部に連結される第１の端部と、第１の端部と反対にある第２の端部とを備える。第２組の翼部は、頭部の中心軸線を中心として配置することができ、第２組の翼部の各々は、第２の長さを有し、頭部に連結される第１の端部と、第１の端部と反対にある第２の端部とを備える。第１の長さは、第２の長さとは異なる場合がある。
【０００８】
別の態様では、本開示のスナップフィット締結具は、頭部、複数の翼部、第１組の突起部及び第２組の突起部を備えることができる。複数の翼部は、頭部の中心軸線を中心として配置することができ、翼部の各々は、頭部に連結される第１の端部と、第１の端部と反対にある第２の端部とを備える。第１組の突起部は、選択された数の翼部に外側に配置することができ、第１組の突起部の各々は、翼部の第１の端部から第１の距離で配置される。更に、第２組の突起部は、選択された数の翼部に外側に配置することができ、第２組の突起部の各々は、翼部の第１の端部から第２の距離で配置される。第１の距離は、第２の距離とは異なる場合がある。
【０００９】
本開示の上述した態様及び他の態様は、以下のコンテクストにより詳細に記載される。上述の概要及び以下の詳細な記載の双方は、例示であり、特許請求されるような開示される主題の更なる説明を提供するように意図されると理解される。本発明の他の特徴、目的及び利点は、本明細書、添付図面、及び添付の特許請求の範囲から明らかである。
【００１０】
本開示の上述した特徴を理解することができるように、上記で簡潔に要約した本開示のより具体的な記載は、実施形態を参照することによって得ることができ、実施形態のうちのいくつかは、添付図面に示されている。しかしながら、添付図面は、単に本開示の例示の実施形態を示している。本開示は、他の同等の効果がある実施形態を認めることができ、従って、添付図面は、本開示の範囲を制限するようにみなされるべきでないと理解される。
【図面の簡単な説明】
【００１１】
【図１】本開示の一実施形態による、三組の翼部を示しているスナップフィット締結具の概略斜視図である。
【図２】本開示の別の実施形態によるスナップフィット締結具の概略斜視図である。
【図３】本開示の別の実施形態によるスナップフィット締結具の概略斜視図である。
【図４】本開示の更に別の実施形態によるスナップフィット締結具の概略斜視図である。
【発明を実施するための形態】
【００１２】
理解を促進するために、可能な限り、複数の図において共通である同一の要素を示すように同一の参照符号が用いられる。明確さのために、図において示される種々の実施形態は、必ずしも一定縮尺ではなく、例示的な表示である。
【００１３】
以下に、本開示の実施形態を、図面を参照して詳細に説明する。
【００１４】
図１は、本開示の一実施形態による、スナップフィット締結具１００の概略斜視図である。スナップフィット締結具１００は、頭部１０２と、各々が頭部１０２に連結されている第１の端部を有する、複数の翼部１０６ａ、１０６ｂ、１０６ｃとを備えることができる。複数の翼部１０６ａ、１０６ｂ、１０６ｃは、頭部１０２の中心軸線１０４を中心として配置される。従って、複数の翼部１０６ａ、１０６ｂ、１０６ｃは、設置されると、押圧し、製品（図示せず）のパネル上の穴に嵌合することができる。一例として、製品のパネルは、少なくともスナップフィット締結具１００を収納するのに配置される穴を有するシールド、プレート、回路基板又は任意の他のシート形状の構造とすることができる。更に、ハウジングは、その製品を取り替えるか或いは交換するときに、厚さを変えてもよい。
【００１５】
図１に示す実施形態を参照すると、頭部１０２から延在する三組の翼部１０６ａ、１０６ｂ、１０６ｃがあり、各組は、ハウジングの異なる厚さを収容するために異なる長さを有する。更に、少なくとも１つの突起部１０８が、複数の翼部１０６ａ、１０６ｂ、１０６ｃの各々の第２の端部に配置され、突起部１０８の各々は、翼部１０６ａ、１０６ｂ、１０６ｃの第２の端部から外方に延在する。従って、突起部１０８は、設置されると、ハウジングの内面を固定して掴持することができる。示されるような実施形態では、各突起部１０８は、頭部１０２に面する平坦プラットフォーム１１０と、ハウジングの穴に貫通することを容易にする先細の端部１１２とを有することができる。しかしながら、突起部の他の構成であってもよい。
【００１６】
図示する実施形態では、異なる長さを有する三組の翼部１０６ａ、１０６ｂ、１０６ｃは交互に配置される。しかしながら、翼部１０６ａ、１０６ｂ、１０６ｃの組は、異なる順序で構成することもできる。１つの実施形態では、第１組の翼部１０６ａは、約３ｍｍの厚さのハウジングを収容する長さを有することができ、第２組の翼部１０６ｂは、約５ｍｍの厚さのハウジングを収容するように設計することができ、第３組の翼部１０６ｃは、約８ｍｍの厚さのハウジングを収容するように設計することができる。別の実施形態では、第１組の翼部１０６ａ、第２組の翼部１０６ｂ、第３組の翼部１０６ｃは、それぞれ、約１０ｍｍ、約１２ｍｍ、約１５ｍｍの厚さのハウジングを収容することができる。ハウジングの異なる厚さを収容するために、翼部１０６ａ、１０６ｂ、１０６ｃの長さの組み合わせは他の寸法であってもよい。
【００１７】
三組の翼部１０６ａ、１０６ｂ、１０６ｃが、図１に示されているが、より多くの組又はより少ない組であってもよい。更に、各組の翼部の数は、必要に応じて調整することができる。好ましい実施形態では、各組の翼部は、頭部の周りに均一に配置された少なくとも３つの個々の翼部を有することができる。従って、スナップフィット締結具１００は、設置されると、少なくとも１つの組の翼部によって、適所に固定して保持することができる。
【００１８】
図１に示す実施形態では、頭部１０２は丸い形状を有する。１つの実施形態では、頭部１０２は、透明な材料から作ることができ、複数の翼部１０６ａ、１０６ｂ、１０６ｃは、頭部１０２とは異なる材料から作ることができる。別の実施形態では、頭部１０２、複数の翼部１０６ａ、１０６ｂ、１０６ｃ及び突起部１０８は、成形され、単一体に形成される。更に別の実施形態では、複数の翼部１０６ａ、１０６ｂ、１０６ｃは、頭部１０２とは別個の構成要素であり、所望のように構成し、頭部１０２に結合することができる。
【００１９】
図２は、本開示の別の実施形態によるスナップフィット締結具２００の概略斜視図である。図２を参照すると、頭部２０２は、長方形の形状を有するように構成される。更に、複数の特徴部２１４、２１６、２１８を、頭部２０２上に、又は頭部２０２内に配置することができる。例えば、隆起部２１４又は溝２１８は、スナップフィット締結具２００の頭部２０２上に配置することができる。代替的に又は更に、ねじ穴２１６は、頭部２０２上に配置することができる。結果として、他の構成要素は、頭部２０２の特徴部２１４、２１６、２１８によってスナップフィット締結具２００に連結することができる。
【００２０】
図２に示す実施形態でも、頭部２０２を中心として配置される三組の翼部２０６ａ、２０６ｂ、２０６ｃがある。各組は、頭部２０２の縁部から延びる異なる長さを有する。更に、翼部２０６ａ、２０６ｂ、２０６ｃの各組は、頭部２０２の中心軸線２０４から離れて外方に僅かに偏る場合がある。そのような構成の元で、ハウジングの厚さに合致しない翼部は、穴の側壁と当接することによって、スナップフィット締結具２００を適所に固定することを容易にすることができる。示されるような実施形態では、翼部２０６ａ、２０６ｂ、２０６ｃの各組は、異なる傾斜を有して、頭部２０２から外方に偏る。しかしながら、他の実施形態では、翼部は、同じ傾斜を有して偏ることもできるし、所望のように個々の均一な角度を有して偏ることもできる。
【００２１】
図２に示すように、翼部２０６ａ、２０６ｂ、２０６ｃの第２の端部に配置される突起部２０８は、頭部２０２に面する鋸歯状プラットフォーム２１０を更に有することができる。これらの鋸歯状プラットフォーム２１０は、設置されると、ハウジングの内面に掴持し、スナップフィット締結具２００が回転することを防ぐ。
【００２２】
図３は、本開示の別の実施形態によるスナップフィット締結具３００の概略斜視図である。図３を参照すると、頭部３０２は、中心軸線３０４を囲む輪の形状を有し、中間に開口を有する。複数の翼部３０６は、頭部３０２の中心軸線３０４を中心として配置され、軸方向に延在し、各々は、輪の周囲に近接して頭部３０２に連結される第１の端部を有する。
【００２３】
この実施形態では、複数の翼部３０６の各々は同じ長さを有する。更に、三組の突起部３０８ａ、３０８ｂ、３０８ｃは、翼部３０６上の異なる位置に配置される。例えば、第１組の突起部３０８ａは、選択された数の翼部３０６上に配置し、頭部３０２に最も近接する第１の距離で位置することができる。更に、第２組の突起部及び第３組の突起部３０８ｃは、残りの個々の翼部３０６上の、それぞれ、第１組の突起部３０８ａとは異なる位置に配置される。結果として、スナップフィット締結具３００は、ハウジングの異なる厚さに嵌合することができる。
【００２４】
１つの実施形態では、第１組の突起部３０８ａは、約３ｍｍの厚さのハウジングに嵌合するように配置され、第２組の突起部３０８ｂは、約５ｍｍの厚さのハウジングに嵌合するように配置され、第３組の突起部３０８ｃは、約８ｍｍの厚さのハウジングに嵌合するように配置される。別の実施形態では、第１組の突起部３０８ａ、第２組の突起部３０８ｂ、第３組の突起部３０８ｃは、それぞれ、約１０ｍｍ、約１２ｍｍ、約１５ｍｍの厚さのハウジングに嵌合するように配置される。更に、突起部３０８ａ、３０８ｂ、３０８ｃは、ハウジングの異なる厚さを収容するために、翼部３０６の他の位置に配置することもできる。
【００２５】
図３を参照すると、突起部３０８ａ、３０８ｂ、３０８ｃの各々は、翼部３０６から上方にかつ外方に延在することができる。従って、突起部３０８ａ、３０８ｂ、３０８ｃの返し部形状は、設置されると、スナップフィット締結具３００を適所に固定することができ、スナップフィット締結具３００が外れることを防ぐ。
【００２６】
図４は、本開示の更に別の実施形態によるスナップフィット締結具４００の概略斜視図である。図４を参照すると、頭部４０２は、他の構成要素との更なる連結のために、中間に配置された穴を有する六角形の形状を有することができる。そのような構成の元で、複数の翼部４０６は、頭部４０２の各辺に配置することができる。代替的には、複数の辺を有する多角形の形状が、スナップフィット締結具４００の頭部４０２を形成するようにしてもよい。上述したように、翼部４０６の各々は、頭部から外方に僅かに偏る可能性があるので、設置するとき、穴の側壁に当接する追加の力を与える必要がある。
【００２７】
この実施形態では、二組の取付部４１６ａ、４１６ｂが、それぞれ、翼部４０６上の異なる位置に配置される。更に、対応する取付部（図示せず）を、スナップフィット締結具４００が設置されるハウジング内に配置することができる。従って、スナップフィット締結具４００は、異なる組の取付部４１６ａ、４１６ｂに合致することによって、製品の異なるハウジングに適応可能とすることができる。１つの実施形態では、取付部４１６ａ、４１６ｂは、磁石とすることができる。別の実施形態では、取付部４１６ａ、４１６ｂは、接着剤とすることができる。スナップフィット締結具４００の連結を強化する他の取り付け手段であってもよい。
【００２８】
本開示の例示の実施形態は、図を参照して記載される。１つの実施形態に関して記載された特徴は、明確に限定されない限り、他の実施形態に対して有利に適用することができることに留意されたい。更に、上述した形状、寸法、数は、単に例として考慮されるべきである。当業者には、添付の特許請求の範囲によって定義されるような趣旨及び範囲から逸脱することなく、本開示に対して種々の変更形態及び代替形態を行うことができることが明らかであろう。
【符号の説明】
【００２９】
１００    スナップフィット締結具
１０２    頭部
１０４    中心軸線
１０６ａ    翼部
１０６ｂ    翼部
１０６ｃ    翼部
１０８    突起部
１１０    平坦プラットフォーム
１１２    端部
２００    スナップフィット締結具
２０２    頭部
２０４    中心軸線
２０６ａ    翼部
２０６ｂ    翼部
２０６ｃ    翼部
２０８    突起部
２１０    鋸歯状プラットフォーム
２１４    隆起部
２１６    穴
２１８    溝
３００    スナップフィット締結具
３０２    頭部
３０４    中心軸線
３０６    翼部
３０８ａ    突起部
３０８ｂ    突起部
３０８ｃ    突起部
４００    スナップフィット締結具
４０２    頭部
４０６    翼部
４１６ａ    取付部
４１６ｂ    取付部
【図１】
2021522455.tif 000003
【図２】
2021522455.tif 000004
【図３】
2021522455.tif 000005
【図４】
2021522455.tif 000006
【国際調査報告】
2021522455.tif 000007
2021522455.tif 000008